(57)【特許請求の範囲】
【請求項１】
親指ないし親指の根元部を一側面に当接させた状態で片手で把持される外観形状を有する本体ケースと、
上記本体ケースの上記一側面上の上記親指が当接する位置に、当該一側面から外方に外周面の一部が僅かに突出して当該突出部分が上記親指に転接するように設けられた円板部材を有し、上記親指が上記一側面上を摺動するような折曲げ伸長動作をしたことにより上記円板部材に回動力が与えられたとき上記円板部材を応動するように回動させ、又は上記親指が上記一側面を押圧するような内側への押込み動作をしたことにより上記円板部材に上記本体ケースの内方に向かう押込み力が与えられたとき上記円板部材を押込み方向へ移動させ、又は上記親指が上記円板部材の表面側を押圧するような押下動作をしたことにより上記円板部材に上記表面側から裏面側へ向かう応力が与えられたとき上記円板部材を上記表面側から上記裏面側へ移動させ、又は上記親指が上記円板部材の上記表面側を押圧するような上記押下動作をしたことにより上記円板部材に上記表面側から上記裏面側へ向かう応力が与えられたとき上記円板部材を上記表面側から上記裏面側へ移動させた状態で、上記親指が上記一側面上を摺動するような折曲げ伸長動作をしたことにより上記円板部材に回動力が与えられたとき上記円板部材を応動するように回動させるために、上記円板部材を保持する操作子と、
上記操作子の円板部材に対する上記回動動作、上記押込み動作、上記押下動作をそれぞれ検出する操作検出手段と、
複数の項目を蓄積する蓄積手段と、
上記蓄積手段から読み出された上記複数の項目のうちの複数の項目及びカーソルを表示する表示手段と、
上記操作子の円板部材に対する上記回動動作による上記操作検出手段の検出出力に応じて、上記カーソルを所望方向へ移動して上記複数の項目のうちの１つに上記カーソルの位置を対応させて表示し、上記操作子の円板部材に対する上記押下動作による上記操作検出手段の検出出力と上記回動動作による上記操作検出手段の検出出力とに応じて、上記押下動作された状態で上記回動動作されたことを認識し、上記押下動作されていない状態で上記回動動作された場合と上記押下動作された状態で上記回動動作された場合とにおいて、上記回動動作による所定回動量毎の上記カーソル移動量を変更し、上記操作子の円板部材の上記押込み動作による上記操作検出手段の検出出力に応じて、上記カーソルが位置する項目を確定する制御手段と
を具えることを特徴とする通信端末装置。
【請求項２】
親指ないし親指の根元部を一側面に当接させた状態で片手で把持される外観形状を有する本体ケースの上記一側面上の上記親指が当接する位置に、当該一側面から外方に外周面の一部が僅かに突出して当該突出部分が上記親指に転接するように設けられた円板部材を有する操作子によつて上記親指が上記一側面上を摺動するような折曲げ伸長動作をしたことにより上記円板部材に回動力が与えられたとき上記円板部材を応動するように回動させ、又は上記親指が上記一側面を押圧するような内側への押込み動作をしたことにより上記円板部材に上記本体ケースの内方に向かう押込み力が与えられたとき上記円板部材を押込み方向へ移動させ、又は上記親指が上記円板部材の表面側を押圧するような押下動作をしたことにより上記円板部材に上記本体ケースの上記表面側から裏面側へ向かう応力が与えられたとき上記円板部材を上記表面側から上記裏面側へ移動させ、又は上記親指が上記円板部材の上記表面側を押圧するような上記押下動作をしたことにより上記円板部材に上記表面側から上記裏面側へ向かう応力が与えられたとき上記円板部材を上記表面側から上記裏面側へ移動させた状態で、上記親指が上記一側面上を摺動するような折曲げ伸長動作をしたことにより上記円板部材に回動力が与えられたとき上記円板部材を応動するように回動させるために、上記円板部材を保持する保持ステツプと、
上記操作子の円板部材に対する上記回動動作、上記押込み動作、上記押下動作をそれぞれ検出する操作検出ステツプと、
複数の項目を蓄積する蓄積ステツプと、
上記蓄積ステツプから読み出された上記複数の項目及びカーソルを表示する表示ステツプと、
上記操作子の円板部材に対する上記回動動作による上記操作検出ステツプの検出出力に応じて、上記カーソルを所望方向へ移動して上記複数の項目のうちの１つに上記カーソルの位置を対応させて表示し、上記操作子の円板部材に対する上記押下動作による上記操作検出ステツプの検出出力と上記回動動作による上記操作検出ステツプの検出出力に応じて、上記押下動作された状態で上記回動動作されたことを認識し、上記押下動作されていない状態で上記回動動作された場合と上記押下動作された状態で上記回動動作された場合とにおいて、上記回動動作による所定回動量毎の上記カーソルの移動量を変更し、上記操作子の円板部材に対する上記押込み動作による上記操作検出手段の検出出力に応じて、上記カーソルが位置する項目を確定する制御ステツプとを
具えることを特徴とする通信端末装置の制御方法。
【発明の詳細な説明】
【０００１】
【目次】
以下の順序で本発明を説明する。
【０００２】
発明の属する技術分野
従来の技術
発明が解決しようとする課題
課題を解決するための手段
発明の実施の形態
（１）全体構成（図１〜図７）
（２）ジヨグダイアルを使用した操作例
（２−１）ジヨグダイアルによる電話帳リストの検索（図８）
（２−２）ジヨグダイアルによる文字入力（図９）
（２−３）ジヨグダイアルによる動作モードの設定（図１０及び図１１）
（３）動作及び効果
（４）他の実施の形態
発明の効果
【０００３】
【発明の属する技術分野】
本発明は通信端末装置及び回動操作子に関し、例えば携帯電話機に適用して好適なものである。
【０００４】
【従来の技術】
近年、携帯電話機の普及が著しく、それに伴つて多種多様の機能が携帯電話機に付加されるようになつてきている。その機能としては種々あるが、一例を上げれば次のようなものがある。例えば相手先の電話番号を相手先名と共にメモリに記憶しておき、読出指示に応じて表示器に読み出されたそれらの相手先名の中から所望の相手先名を選択することによりその相手先の電話番号を読み出す、いわゆる電話帳機能がある。このような電話帳機能を携帯電話機に設けることにより、ユーザは電話番号を覚えていなくとも、相手先名を頼りに電話番号を読み出して電話をかけることができる。
【０００５】
【発明が解決しようとする課題】
ところでかかる従来の電話帳機能を有する携帯電話機においては、表示される複数の相手先名の中から所望の相手先名を選ぶために表示器においてこれら複数の相手先名をスクロールしなければならない。そのため従来の携帯電話機では、上方向キー及び下方向キーを設けることにより、表示される相手先名の上方向のスクロール及び下方向のスクロールを指示するようになされている。ところがこのようにそれぞれ別々の操作キーを設けると、２つの操作キーを操作しなければならないことから操作性が悪くなるといつた問題がある。
【０００６】
これを解決するため本出願人は、特願平6-232327号に開示するように、本体内部方向に押圧操作が可能な回動操作子を携帯電話機に設けることにより、１つの操作子で上下方向のスクロール指示及び相手先の確定を指示し得るようになされた通信端末装置を提案している。この通信端末装置によれば、回動操作子を所望の方向に回動操作することにより相手先名を所望方向にスクロールできると共に、回動操作子を本体内部方向に押圧操作することにより相手先を確定することができることから、１つの操作子で全ての操作を行うことができ、従来に比して一段と操作性を向上することができる。
【０００７】
ところでこの回動操作子を有した通信端末装置では、選択する相手先候補が増えると、目的の相手先を探すまでに回動操作子を多く回さなければならず、操作性の点において未だ改良の余地があると思われる。
【０００８】
本発明は以上の点を考慮してなされたもので、従来に比して一段と操作性に優れた使い勝手の向上した通信端末装置を提案しようとするものである。
【０００９】
【課題を解決するための手段】
かかる課題を解決するため本発明においては、親指ないし親指の根元部を一側面に当接させた状態で片手で把持される外観形状を有する本体ケースと、本体ケースの一側面上の親指が当接する位置に、当該一側面から外方に外周面の一部が僅かに突出して当該突出部分が親指に転接するように設けられた円板部材を有し、親指が一側面上を摺動するような折曲げ伸長動作をしたことにより円板部材に回動力が与えられたとき円板部材を応動するように回動させ、又は親指が一側面を押圧するような内側への押込み動作をしたことにより円板部材に本体ケースの内方に向かう押込み力が与えられたとき円板部材を押込み方向へ移動させ、又は親指が円板部材の表面側を押圧するような押下動作をしたことにより円板部材に表面側から裏面側へ向かう応力が与えられたとき円板部材を表面側から裏面側へ移動させ、又は親指が円板部材の表面側を押圧するような押下動作をしたことにより円板部材に表面側から裏面側へ向かう応力が与えられたとき円板部材を表面側から裏面側へ移動させた状態で、親指が一側面上を摺動するような折曲げ伸長動作をしたことにより円板部材に回動力が与えられたとき円板部材を応動するように回動させるために、円板部材を保持する操作子と、操作子の円板部材に対する回動動作、押込み動作、押下動作をそれぞれ検出する操作検出手段と、複数の項目を蓄積する蓄積手段と、蓄積手段から読み出された複数の項目のうちの複数の項目及びカーソルを表示する表示手段と、操作子の円板部材に対する回動動作による操作検出手段の検出出力に応じて、カーソルを所望方向へ移動して複数の項目のうちの１つにカーソルの位置を対応させて表示し、操作子の円板部材に対する押下動作による操作検出手段の検出出力と回動動作による操作検出手段の検出出力とに応じて、押下動作された状態で回動動作されたことを認識し、押下動作されていない状態で回動動作された場合と押下動作された状態で回動動作された場合とにおいて、回動動作による所定回動量毎のカーソル移動量を変更し、操作子の円板部材に対する押込み動作による操作検出手段の検出出力に応じて、カーソルが位置する項目を確定する制御手段とを設けるようにする。
【００１０】
このようにして本発明では、操作子の円板部材を回動動作させ、押込み動作させ、押下動作させ得ると共に、押下動作しながら回動動作し得るようにしており、操作子の円板部材が押下動作された場合と押下動作されていない場合とで、操作子の円板部材が回動動作されたときのカーソルの移動量を変更するようにしたことにより、操作子の円板部材が押下動作された状態で回動動作された場合には、親指のみで操作子の円板部材を押下動作しながら連続的に回動動作させることができるので、目的の項目へカーソルを合わせるまでの回動動作量を大幅に減らすことができ、その結果従来に比して短時間で目的の項目へカーソルを合わせることができる。
【００１５】
【発明の実施の形態】
以下図面について、本発明の一実施の形態を詳述する。
【００１６】
（１）全体構成
図１において、１は全体として本発明を適用した携帯電話機を示し、合成樹脂材料によつて形成された本体ケース２に各種部材が取り付けられている。まず本体ケース２の上部には送受信用のアンテナ３が引出し及び収納可能な状態で取り付けられており、この携帯電話機１ではこのアンテナ３を介して基地局装置との間で電波の送受信を行うようになされている。
【００１７】
本体ケース２の側面には電源スイツチ４が設けられており、この電源スイツチ４をオン状態にすることにより本体ケース２の裏面に取り付けられたバツテリパツク（図示せず）から各種電気回路に電源が供給され、携帯電話機として動作可能な状態に起動するようになされている。
【００１８】
また本体ケース２の正面上部には電気音響変換手段としてスピーカ５が設けられており、通話時、このスピーカ５から通話相手の音声が出力されるようになされている。また本体ケース２の正面下部には音響電気変換手段としてマイクロホン６が設けられており、通話時、このマイクロホン６からユーザの音声を集音するようになされている。
【００１９】
また本体ケース２の正面中程には表示手段として液晶デイスプレイ（ＬＣＤ）７が設けられており、電波の受信状況、電池容量、電話をかけたときの電話番号、電話帳として登録されている電話番号やその相手先の名称、発信履歴の情報、各種登録内容の情報等、各種情報を表示し得るようになされている。
【００２０】
また本体ケース２の正面下部には操作手段として各種操作キー８が設けられており、この操作キー８を用いて各種指示を入力し得るようになされている。この場合、具体的には操作キー８として次の９種類のキーが設けられている。すなわち「発呼」キー８Ａ、「終話」キー８Ｂ、「リダイヤル」キー８Ｃ、「０」〜「９」の数字キー８Ｄ、「＊」キー８Ｅ、「♯」キー８Ｆ、「メモリ」キー８Ｇ、「クリア」キー８Ｈ、「コール」キー８Ｉの９種類のキーが設けられている。
【００２１】
これらの各操作キー８にはそれぞれ次のような機能が割り当てられている。すなわち「発呼」キー８Ａには入力された電話番号や電話帳リストから呼び出された電話番号、或いは発信履歴から呼び出された電話番号に対して発呼処理を行うときの発呼指示を入力する機能が割り当てられている。「終話」キー８Ｂには通話終了の指示を入力したり、その他各種動作モードの終了指示を入力する機能が割り当てられている。「リダイヤル」キー８Ｃには過去に電話を掛けた相手先の電話番号を日時と共に表示する発信履歴を読み出す指示を入力する機能が割り当てられている。
【００２２】
１０個の数字キー８Ｄにはそれぞれ対応する数字情報を入力する機能が割り当てられている。また「＊」キー８Ｅには「＊（アスタリスク）」文字を入力する機能が割り当てられている。また「♯」キー８Ｆには「♯」文字を入力する機能が割り当てられている。「メモリ」キー８Ｇには電話番号を電話帳として登録する際に登録指示等を入力する機能が割り当てられている。「クリア」キー８Ｈには表示内容や登録内容を消去する指示を入力する機能が割り当てられている。「コール」キー８Ｉには電話帳として登録されている電話番号を呼び出す指示を入力する機能が割り当てられている。
【００２３】
また本体ケース２の側面上部には回動操作子としてのジヨグダイアル９が設けられており、このジヨグダイアル９を回動操作することにより液晶デイスプレイ７に表示されている発信履歴リストや電話帳リスト等、各種表示項目をスクロール表示させることができるようになされている。またこのジヨグダイアル９を本体ケース２の内部方向に押圧操作することにより表示されている項目を確定することができるようになされている。またこのジヨグダイアル９は本体ケース２の側面に沿つて奥行き方向（この図１に対して垂直な方向）にも押圧操作し得るようになされており、当該ジヨグダイアル９を奥行き方向に押しながら回動動作させることにより、表示項目を別の移動量でスクロール表示し得るようになされている。なお、このジヨグダイアル９の内部方向への押圧操作には「発呼」キー８Ａと同様に発呼指示を入力する機能やフアンクシヨンキーとしての機能も割り当てられている。またこの携帯電話機１では、電話帳リスト作成時等、このジヨグダイアル９の操作によつて所望の文字を入力することができるようにもなされている。
【００２４】
ここで図２を用いて、この携帯電話機１における回路構成について説明する。この携帯電話機１の本体ケース２には図２に示すような回路が設けられている。まず上述した各種操作キー８やジヨグダイアル９から入力された指示情報は制御手段であるＣＰＵ（Central Processing Unit ）１０に入力される。ＣＰＵ１０は入力される指示情報に基づいてＬＣＤドライバ回路７Ａを制御することにより指示情報に応じた各種情報（例えば入力される電話番号やメニユー項目、或いは発信履歴や電話帳等）を液晶デイスプレイ７に表示する。またＣＰＵ１０は入力される指示情報に基づいて送受信回路部１１を制御することにより発呼処理や終話処理等、指示情報に応じた各種処理を実行する。またＣＰＵ１０は第１の記憶手段であるＲＡＭ（Random Access Memory）１２をアクセスして所定の情報を記憶したり、或いは第２の記憶手段であるＥＥＰＲＯＭ（Electorically Erasable and Programable Read Only Memory ）１３をアクセスして発信履歴や電話帳リスト等、電源を切つても消したくないような各種情報を記憶するようになされている。因みに、このような制御動作を行うＣＰＵ１０はＲＯＭ（Read Only Memory）１４に格納されているプログラムコードに基づいて制御動作を行うようになされている。
【００２５】
送受信回路１１はＣＰＵ１０の制御によりアンテナ３を介して制御信号を送出して発呼処理を行つたり、或いは基地局装置からの着信信号をアンテナ３を介して受け、ＣＰＵ１０に対して着信通知を行うようになされている。また送受信回路部１１は通話時にマイクロホン６から入力される音声信号を所定の信号処理を施して送信したり、或いは受信信号に所定の信号処理を施して音声信号を復調し、これをスピーカ５に出力するようにもなされている。
【００２６】
ジヨグダイアル９は大きく分けて円板部材２０と、検出回路２１と、第１及び第２のスイツチ２２、２３とによつて構成される。このジヨグダイアル９においては、円板部材２０を回動操作したとき、その回動方向及び回動量を検出回路２１によつて検出し、これをＣＰＵ１０に通知するようになされている。またこのジヨグダイアル９においては、円板部材２０が本体ケース２の内部方向に押圧操作されてときに第１のスイツチ２２が押下されるようになされていると共に、円板部材２０が側面に沿つて奥行き方向に押圧操作されたときに第２のスイツチ２３が押下されるようになつており、ＣＰＵ１０はこれら第１及び第２のスイツチ２２、２３のスイツチ状態を検出するようになされている。かくしてＣＰＵ１０は、これら第１及び第２のスイツチ２２、２３のスイツチ状態及び検出回路２１からの回動方向及び回動量に基づいて、上述したようなジヨグダイアル９による各種の制御を行うようになされている。
【００２７】
ここでこのジヨグダイアル９についてさらに具体的に説明する。ジヨグダイアル９は本体ケース２の側面のうち左側側面の上部に設けられており、左手で本体２を把持したときに丁度左手の親指位置にくるようになされている。これにより本体２を把持した状態でも、左手親指を折曲げ及び伸長動作することによつてジヨグダイアル９を回動操作することができると共に、左手親指を本体ケース２の内部方向に押込み動作することによつてジヨグダイアル９を当該方向に押圧操作することができ、さらには左手親指を本体ケース２の側面に沿つて奥行き方向に僅かにスライド動作することによつてジヨグダイアル９を当該方向に押圧操作することができ、かくして片手で簡単に操作することができるようになされている。
【００２８】
このジヨグダイアル９は、上述したように円板部材２０を有している。この円板部材２０は、図３に示すように、本体ケース２の側面から僅かに突出するように設けられており、これによりこの突出部分に対して親指を当接させて回動操作し得ると共に、本体ケース２の内部方向及び側面に沿つた奥行き方向に押圧操作し得るようになされている。この円板部材２０は、回動軸Ｏを中心として矢印Ａ又はＢに示す方向に回動し得るように合成樹脂材からなる基台部２５に保持されており、これにより先の突出部分に親指を当接させて当該円板部材２０を矢印Ａ又はＢで示す方向に回動操作し得るようになされている。因みに、円板部材２０を矢印Ａ又はＢの方向に所定角度回動させると、「カチ」といつたクリツク感が得られるようになつており、これによりユーザはどの程度円板部材２０を回動させたかを感覚的に把握することができるようになつている（以降、このクリツク感が得られる回動量を１クリツクと呼ぶ）。
【００２９】
なお、この円板部材２０は、実際には基台部２５に直接保持されているのではなく、スライド部材２６を介して当該基台部２５に保持されており、これにより親指によつて本体ケース２の内部方向に押圧操作されたときに当該円板部材２０を矢印Ｄで示す方向に可動し得るようになされている。因みに、円板部材２０は、スライド部材２６によつて矢印Ｃに示す方向に付勢されており、これによりケース内部方向（すなわち矢印Ｄの方向）への押圧操作がなされていないときには、図３に示すように、本体ケース２から僅かに突出した状態を保持し得るようになされている。
【００３０】
ところで基台部２５には、この他にもクランプ部材２７及び第１のスイツチ２２が設けられている。クランプ部材２７は、円板部材２０が矢印Ｄで示す方向に可動したとき、支点Ｅを中心として矢印Ｆで示す方向に回動するようになされている。このクランプ部材２７の先端には下方に突出する突起部２７Ａが設けられており、支点Ｅを中心として矢印Ｆの方向に回動したときには、この突起部２７Ａが図４（Ａ）及び（Ｂ）に示すように第１のスイツチ２２の上側に到達するようになされている。これによりこのジヨグダイアル９においては、円板部材２０が矢印Ｄの方向に押されたとき、この突起部２７Ａが第１のスイツチ２２を押下するようになされている。
【００３１】
円板部材２０は、図５に示すように、実際には２枚の円板部材２０Ａ及び２０Ｂによつて構成されている。このうち円板部材２０Ｂは円板部材２０Ａの上面に積層された可動部材であり、固定された円板部材２０Ａに対して相対的に回動し得るように取り付けられている。ここで可動側の円板部材２０Ｂには１組の対向電極２０Ｃが設けられている。この対向電極２０Ｃは組み立てたとき、円板部材２０Ａの円周に沿つて設けられた２０組の対向電極２０Ｄと摺接し得るようになされている。因みに、固定側の円板部材２０Ａに設けられた対向電極２０Ｄは内周側と外周側とで位置がわずかづつずれて形成されている。
【００３２】
従つて円板部材２０Ｂを矢印Ａの方向に回動すると対向電極２０Ｄから出力される電位は、図６（Ａ）に示すように、内周側の電位が先に接地電位に立ち下がるのに対し、矢印Ｂの方向に回動すると、図６（Ｂ）に示すように、外周側の電位が先に接地電位に立ち下がる。これを利用して検出回路２１においては、内周側の電位と外周側の電位のいずれが先に接地電位に立ち下がるかを検出することにより、円板部材２０Ｂの回動方向を検出するようになされている。また検出回路２１は、外周側の電極から出力されるパルスの数をカウントすることにより円板部材２０Ｂの回動量を検出するようになされている。
【００３３】
ここで図７に示すように、円板部材２０が取り付けられた基台部２５は、本体ケース２の内部に設けられたツメ部２Ａによつて挟持され、当該本体ケース２に取り付けられている。この基台部２５の下面には突起部２５Ａが設けられており、当該基台部２５はこの突起部２５Ａによつて下方から支持されるようになされている。この基台部２５を挟んで円板部材２０と対向する位置には、当該基台部２５と僅かに離れた状態で第２のスイツチ２３が設けられている。この場合、基台部２５が突起部２５Ａによつて下方から支持されていることから、円板部材２０を矢印Ｇで示す奥行き方向に押圧操作すると、当該突起部２５Ａを支点として基台部２５が矢印Ｇで示す下方向に撓む。このとき下方に撓んだ基台部２５の下面が第２のスイツチ２３に当接し、当該第２のスイツチ２３を押下する。このようにしてこのジヨグダイアル９においては、矢印Ｇで示す奥行き方向に円板部材２０を押圧操作したとき、当該円板部材２０が取り付けられている基台部２５が撓むことによつて第２のスイツチ２３が押下されるようになされている。
【００３４】
なお、基台部２５には支持材２５Ｂが設けられていると共に、当該支持材２５Ｂを介してアーム部材２５Ｃが設けられている。このアーム部材２５Ｃは円板部材２０の一端を覆うように設けられており、これにより円板部材２０が矢印Ｇで示す方向に押圧操作されたとき、その応力に応じて当該円板部材の一端が逆に持ち上がろうとしても、当該アーム部材２５Ｃによつて上から押さえつけられることから、これを回避し得るようになつている。
【００３５】
（２）ジヨグダイアルを使用した操作例
続いてこの項では、ジヨグダイアル９を使用した代表的な操作例について説明する。まず液晶デイスプレイ７に各種項目が表示されている状態でジヨグダイアル９を回動操作すると、当該液晶デイスプレイ７に表示されているカーソル表示を上方又は下方に移動することができる。この場合、この状態でジヨグダイアル９を本体ケース２の内部方向に向かつて押圧操作すれば、カーソル表示が位置する項目に関する詳細情報や下位階層の項目の読出しをＣＰＵ１０に指示することができる。また電話帳リストが表示されている状態でジヨグダイアル９を回動操作すると、カーソル表示を上方又は下方に移動することができ、所望の相手先のところにカーソル表示を合わせた状態で、当該ジヨグダイアル９を本体ケース２の内部方向に押圧操作すると、その相手先の電話番号を表示することができ、さらにジヨグダイアル９を内部方向に押圧操作すると、その相手先に対して発呼することができる。
【００３６】
また文字入力モードに設定されている状態で、ジヨグダイアル９を回動操作すると、カーソル表示を上下方向又は左右方向に移動することができ、所望の文字のところにカーソル表示を合わせた状態で、ジヨグダイアル９を本体ケース２の内部方向に押圧操作すると、その文字を入力することができる。また登録モードに設定されている状態で、ジヨグダイアル９を回動操作すると、任意の項目の登録モードに入ることができ、さらにその状態でジヨグダイアル９を本体ケース２の内部方向に押圧操作又は側面に沿つた奥行き方向に押圧操作することにより、登録内容の選択又は確定を指示することができる。
【００３７】
（２−１）ジヨグダイアルによる電話帳リストの検索
この項では、上述したような電話帳リストの検索について、図８を用いて具体的に説明する。非通話状態においてジヨグダイアル９を回動操作するか又はコールキー８Ｉを押下することによつて電話長リストの読出指示を行うと、この携帯電話機１の場合には、電話帳リストとして登録されている相手先名がＥＥＰＲＯＭ１３から読み出され、液晶デイスプレイ７に表示される。この携帯電話機１では、最大で100 人分の電話番号を登録し得るようになされており、電話帳リストを読出したときには、図８（Ａ）に示すように、短縮番号「001 」に登録されている例えば「あいかわななこ」が液晶デイスプレイ７の中心に表示され、その上段には最後の短縮番号「100 」に登録されている例えば「わだべんたろう」が表示され、逆に下段には短縮番号「002 」に登録されている例えば「いのうえようこ」が表示される。なお、この場合、表示される電話帳リストの中心、すなわち短縮番号「001 」のところにカーソル表示Ｋ１が表示され、当該短縮番号「001 」の相手先が選択された状態になつている。
【００３８】
この状態でジヨグダイアル９を下方に１クリツク分回動操作すると、図８（Ｂ）に示すように、電話帳リストが上方に１行スクロールされ、その結果、上から順に短縮番号「001 」及び「002 」に登録されている相手先名がそれぞれ表示されると共に、３行目には短縮番号「003 」に登録されている相手先名（例えば「うえだまさえ」）が新たに表示される。因みに、この状態においては、カーソル表示Ｋ１が同じく電話帳リストの中心に表示されることから、短縮番号「002 」の相手先が選択された状態になつている。
【００３９】
さらにこの状態でジヨグダイアル９を下方に１クリツク分回動操作すると、図８（Ｃ）示すように、さらに電話帳リストが上方に１行スクロールされ、その結果、上から順に短縮番号「002 」及び「003 」に登録されている相手先名がそれぞれ表示されると共に、３行目には短縮番号「004 」に登録されている相手先名（例えば「えんどうしゆうた」）が新たに表示される。因みに、この状態においても、カーソル表示Ｋ１が電話帳リストの中心に表示されることから、短縮番号「003 」の相手先が選択された状態になつている。
【００４０】
この状態で今度はジヨグダイアル９を奥行き方向に押下しながら１クリツク分下方に回動操作すると、１クリツクの回動操作によるスクロール量が１行から１０行に変更されることから、図８（Ｄ）に示すように、電話帳リストが１０行分上方にスクロールされ、その結果、上から順に短縮番号「012 」、「013 」及び「014 」の相手先名（例えば「かとうれいか」、「きむらたくみ」及び「くどうしずえ」）がそれぞれ表示される。因みに、この状態においても、カーソル表示Ｋ１が電話帳リストの中心に表示されることから、短縮番号「013 」の相手先が選択された状態になつている。
【００４１】
探したい電話帳リストの相手先が例えば「かとうれいか」である場合には、現在の選択状態から１つ前に戻せば良いことから、この状態で今度はジヨグダイアル９を上方に１クリツク分回動操作する。この操作により、図８（Ｅ）に示すように、電話帳リストが１行下方にスクロールされるので、目的の相手先である「かとうれいか」のところにカーソル表示Ｋ１を表示させて当該「かとうれいか」を選択状態にすることができる。
【００４２】
このように目的の相手先名のところにカーソル表示Ｋ１を表示させた後は、ジヨグダイアル９を本体ケースの内部方向に押下することにより、その相手先を確定し得、図８（Ｆ）に示すように、選択された「かとうれいか」の詳細情報すなわち電話番号を表示することができる。なお、この状態でさらにジヨグダイアル９を本体ケースの内部方向に押下すると、この携帯電話機１では、電話番号が表示されている相手先に対して発呼（すなわち表示されている電話番号を送受信回路部１１を介して基地局装置に送信することにより通話回線の接続処理を行う）するようになされており、わざわざ「発呼」キー８Ａを操作しなくても、ジヨグダイアル９を触つている状態からそのまま発呼することができる。
【００４３】
なお、ここでは特に図示していないが、ジヨグダイアル９を奥行き方向に押下しながら上方に１クリツク分回動操作すると、同じように１クリツクの回動操作によるスクロール量が１行から１０行に変更されることから、電話帳リストとしては下方に１０行スクロールされることになる。
【００４４】
このようにしてこの携帯電話機１においては、ジヨグダイアル９の奥行き方向の押下に対してスクロール量の変更（すなわちカーソル移動量の変更）を割当て、ジヨグダイアル９を奥行き方向に押下しながら回動操作したときには、カーソル移動量を１行から１０行に変更するようにしたことにより、目的の相手先を速やかに探すことができる。例えば現状短縮番号「001 」が選択されている状態から、短縮番号「050 」に登録されている相手先を探す場合には、ジヨグダイアル９を奥行き方向に押下しながら下方に５クリツク分回動操作すれば、目的の相手先を探すことができ、従来のように５０クリツク分回動操作する場合に比べて目的の相手先を速やかに探すことができる。
【００４５】
（２−２）ジヨグダイアルによる文字入力
続いてこの項では、ジヨグダイアル９を使用した文字入力について、図９を用いて説明する。この携帯電話機１においては、電話帳リストを登録するとき等、仮名文字を入力して相手先名を登録することができると共に、漢字変換モードに設定されているときにはその入力した仮名文字を漢字に変換し得るようになされている。
【００４６】
ここで仮名文字を入力する場合には、まず非通話状態においてジヨグダイアル９を本体ケースの内部方向に押下することによつてこの携帯電話機１に用意されているメニユーを読出し、続いてジヨグダイアル９を所定方向に回動操作することによりメニユー項目の中から文字入力モードを探し（すなわちジヨグダイアル９を回動操作して文字入力モードの項目のところにカーソル表示Ｋ１を表示させる）、その状態でジヨグダイアル９を同じく内部方向に押下することによつて文字入力モードを設定する。この設定操作により、液晶デイスプレイ７には、図９（Ａ）示すような文字入力モードの画面が表示される。
【００４７】
因みに、予め所定の操作により漢字変換モードが設定されている場合には、この文字入力モードの初期画面において、画面上段に漢字変換モードが設定されていることを示す「漢」が表示されるようになされている。また初期画面の２行目には、「＞＞＞：」からなる入力文字マークが表示されており、後述する操作によつて入力された仮名文字はこの入力文字マークの後に順次表示されるようになされている。またこのマークの１行下には、五十音の「あ行」及び「か行」の仮名文字が表示され、さらにその１行下には、五十音の「さ行」及び「た行」の仮名文字が表示されている。なお、この状態においては表示されていないが、さらにその下の行にはそれぞれ「な行」及び「は行」、「ま行」及び「や行」、「ら行」及び「わ行（「ん」も含む）」の文字列がそれぞれ仮想的に用意されており、ジヨグダイアル９を下方に回動操作すれば、それらの文字列が回動量に応じて順次スクロール表示されるようになされている。因みに、この文字入力モードの初期画面においては、カーソル表示Ｋ１は始めに仮名文字「あ」のところに表示されており、当該文字が選択された状態になつている。
【００４８】
ここで例えば仮名文字「に」を入力する場合には、まずジヨグダイアル９を下方に１クリツク分回動操作する。これにより図９（Ｂ）に示すように、カーソル表示Ｋ１は１行下に移動して仮名文字「さ」のところに表示され、当該文字が選択された状態になる。続いてジヨグダイアル９を奥行き方向に押しながら上方に１クリツク分回動操作すると、奥行き方向に押したことによりジヨグダイアル９の回動操作によるカーソル表示Ｋ１の移動方向が変更され、その結果、図９（Ｃ）に示すように、カーソル表示Ｋ１が右方向に１文字分移動して仮名文字「し」のところに表示され、当該文字が選択された状態になる。因みに、ジヨグダイアル９を奥行き方向に押下すると、今までジヨグダイアル９の上又は下方向の回動操作がそれぞれカーソル表示Ｋ１の上又は下方向の移動に対応していたものが、ジヨグダイアル９の上又は下方向の回動操作がそれぞれカーソル表示Ｋ１の右又は左方向の移動に対応するように変更される。
【００４９】
続いて今度はジヨグダイアル９を奥行き方向に押さずに下方に１クリツク分回動操作すると、再びジヨグダイアル９の回動操作によるカーソル表示Ｋ１の移動方向が下方向に変更され、その結果、図９（Ｄ）に示すように、カーソル表示Ｋ１が下方に１行移動して仮名文字「に」のところに表示され、当該文字が選択された状態になる。なお、この場合、カーソル表示Ｋ１の画面上の表示位置は変更されず、五十音表全体が１行上方向にスクロールされることによつて見かけ上カーソル表示Ｋ１が下方に１行移動されるようになされている。
【００５０】
このようなジヨグダイアル９の操作によりカーソル表示Ｋ１を目的の文字のところまで移動した後、今度はジヨグダイアル９を本体ケースの内部方向に押下すると、図９（Ｅ）に示すように、当該文字が確定され、入力文字マークの後にその確定された仮名文字が表示される。以降、同様のジヨグダイアル９の操作によつて所望の仮名文字を順次選択確定して入力した後、所定の操作キー８を使用して漢字変換指示を入力すると、その入力された仮名文字に対応する漢字が表示され、所望の文字を漢字入力することができる。
【００５１】
このようにしてこの携帯電話機１においては、文字入力モードのとき、ジヨグダイアル９の奥行き方向の押下に対してカーソル移動方向の変更を割当て、ジヨグダイアル９を単に上又は下方向に回動操作したときにはカーソル表示Ｋ１が上又は下方向に移動するようにし、またジヨグダイアル９を奥行き方向に押下しながら上又は下方向に回動操作したときにはカーソル表示Ｋ１が右又は左方向に移動するようにしたことにより、目的の文字まで速やかに到達することができ、従来に比して文字入力を速やかに行うことができる。
【００５２】
因みに、従来のようにジヨグダイアルの操作として上下方向の回動と本体ケース内部方向への押下だけが用意されている場合には、カーソル表示を単に右又は左方向にしか移動し得ず、仮名文字「あ」から「あ、い、う、え、……」という具合にカーソル表示を移動して目的の文字を選ばなければならないため時間がかかつていたが、この携帯電話機１のように、ジヨグダイアル９に奥行き方向の押下を用意して当該奥行き方向の押下によつてカーソル表示Ｋ１の移動方向を変更し得るようにしたことにより、カーソル表示Ｋ１を五十音表において行方向及び列方向に移動し得ることから、目的の仮名文字を速やかに選択して入力することができる。
【００５３】
（２−３）ジヨグダイアルによる動作モードの設定
続いてこの項では、ジヨグダイアル９を使用した動作モードの設定について、図１０及び図１１を使用して説明する。但し、ここでは代表的な動作モードとしてアラーム設定について説明する。
【００５４】
まずアラーム設定を行う場合には、非通話状態においてジヨグダイアル９を本体ケースの内部方向に押下することによつてこの携帯電話機１に用意されているメニユーを読出し、続いてジヨグダイアル９を所定方向に回動操作することによりメニユー項目の中からアラーム設定モードを探し（すなわちジヨグダイアル９を回動操作してアラーム設定モードの項目のところにカーソル表示Ｋ１を表示させる）、その状態でジヨグダイアル９を同じく内部方向に押下することによつてアラーム設定モードを設定する。この設定操作により、液晶デイスプレイ７には、図１０（Ａ）に示すようなアラーム設定モードの画面が表示される。
【００５５】
因みに、このアラーム設定モードの初期画面においては、１行目にアラーム設定モードを示す「アラーム」からなる文字列が表示され、当該モードであることとをユーザに知らしめるようになされている。またアラーム設定モードにおいては、アラームの起動及び非起動が用意されていることから、２行目にはそれらを示す「ＯＮ」及び「ＯＦＦ」が表示される。なお、このアラーム設定モードの初期画面においては、カーソル表示Ｋ１は始めに「ＯＮ」のところに表示されており、アラームの起動が選択された状態になつている。
【００５６】
ここでこの携帯電話機１においては、動作モードの設定のとき、ジヨグダイアル９の奥行き方向の押下はカーソル表示Ｋ１が表示されている項目の確定に割り当てられ、ジヨグダイアル９の本体ケースの内部方向への押下はカーソル表示Ｋ１の右方向への移動（行の末尾まで行つたときにはその行又は次の行の先頭に移つて同様に右方向に移動する）、すなわち項目の選択に割り当てられており、さらにジヨグダイアル９の回動操作はその動作モードから抜けて上位階層のメニユー項目選択モードへ移行する機能（上方向の回動操作がなされたときには現在読み出されているメニユー項目の上隣のメニユー項目にカーソル表示Ｋ１が移動し、下方向の回動操作がなされたときには現在読み出されているメニユー項目の下隣のメニユー項目にカーソル表示Ｋ１が移動する）に割り当てられている。
【００５７】
従つてアラームを起動する場合には、アラーム設定モードの初期画面において、ジヨグダイアル９を奥行き方向に押下することにより、アラームの起動が設定され、図１０（Ｂ）に示すように、アラームの開始時刻を設定する時刻設定画面に移行する。この時刻設定画面においては、カーソル表示Ｋ１は「時」のところに表示されているので、この状態において「数字」キー８Ｄを使用して所望の数字を入力する。「時」の情報が入力されるとカーソル表示Ｋ１は「分」のところに自動的に移動するので、同様に「数字」キー８Ｄを使用して所望の数字を入力すれば、アラームを開始する時刻を入力することができる。
【００５８】
なお、アラームを非起動に設定する場合には、アラーム設定の初期画面において、ジヨグダイアル９を本体ケースの内部方向に押下する。これにより図１０（Ｃ）に示すように、カーソル表示Ｋ１が右方向に移動して「ＯＦＦ」のところに表示されるので、この状態においてさらにジヨグダイアル９を奥行き方向に押下すれば、アラームの非起動が設定される。
【００５９】
このようにしてこの携帯電話機１においては、動作モードの設定のとき、ジヨグダイアル９の本体ケースの内部方向への押下に対して項目の選択を割当てると共に、ジヨグダイアル９の奥行き方向の押下に対して項目の確定を割当て、ジヨグダイアル９を本体ケースの内部方向に押下したときにはカーソル表示Ｋ１を移動し、またジヨグダイアル９を奥行き方向に押下したときにはカーソル表示Ｋ１が表示されている項目を確定するようにしたことにより、モード設定を速やかに行うことができる。
【００６０】
因みに、従来のようにジヨグダイアル９の操作として上下方向の回動と本体ケース内部方向への押下だけが用意されている場合には、図１１に示すように、動作モードを設定するとき、項目の選択と確定を別々にすることができないため、例えばアラームの起動を設定する場合には、ジヨグダイアルを本体ケースの内部方向に押下して一旦アラームの非起動を設定した後、再びジヨグダイアルを本体ケースの内部方向に押下してカーソル表示Ｋ１を「ＯＮ」のところに移動してアラームの起動を設定しなければならず、アラーム起動を設定するまでに２回の操作が必要であつた。しかしながらこの携帯電話機１のように、ジヨグダイアル９を３方向に操作し得るようにすると、動作モードの設定のとき、選択と確定を別々に行うことができ、アラーム起動を設定するとき、１回の操作でこれを設定し得、当該設定を速やかに行うことができる。
【００６１】
（３）動作及び効果
以上の構成において、この携帯電話機１の場合には、ジヨグダイアル９を本体ケースの内部方向に押下したときに押下される第１のスイツチ２２と、当該ジヨグダイアル９を奥行き方向に押下したときに押下される第２のスイツチ２３とを設けることにより回動操作に加えて２つの押下操作を加え、これによつて３方向の操作を行い得るようになされている。この場合、ジヨグダイアル９は本体ケース２の左側面であつて当該本体ケース２を把持したときの親指のホームポジシヨンの位置に設けられていることから、片手で本体ケース２を把持した状態でジヨグダイアル９を親指で容易に操作することができる。またこの場合、新たに加えた押下操作としては、親指の側面に沿つた摺動操作のうち本体ケース２の奥行き方向のスライド操作を選んだことにより、この操作も容易に行うことができる。
【００６２】
またこの携帯電話機１では、この新たに加えられた奥行き方向の押下操作を使用して、電話帳リストの検索を速やかに行えるようになされている。すなわち単にジヨグダイアル９を所望方向に回動操作した場合には、１クリツク分の回動操作につき１行分のカーソル移動を行うが、ジヨグダイアル９を奥行き方向に押下しながら所望方向に回動操作した場合には、１クリツク分の回動操作につき１０行分のカーソル移動を行う。これにより目的の相手先が現状表示されているところから離れている場合にも、この操作を組み合わせることによつて当該目的の相手先に速やかに到達することができ、電話帳リストにおける検索を速やかに行うことができる。またジヨグダイアル９を従来のように多く回動する必要がなくなることから、検索時の操作性を向上することができる。
【００６３】
またこの携帯電話機１では、文字入力モードのとき、ジヨグダイアル９を所望方向に回動操作するとカーソル表示Ｋ１を上又は下方向に移動するようにし、ジヨグダイアル９を奥行き方向に押しながら回動操作したときにはカーソル表示Ｋ１を右又は左方向に移動するようにしたことにより、カーソル表示Ｋ１を五十音表において行方向又は列方向に移動し得ることから、入力目的の文字まで速やかに到達することができ、文字入力を従来に比して速やかに行うことができる。また行方向又は列方向にカーソル表示Ｋ１を移動し得ることから、目的の文字に到達するまでのジヨグダイアル９の回動量を減らすことができ、文字入力時の操作性を向上することができる。
【００６４】
このようにしてこの携帯電話機１では、ジヨグダイアル９の回動操作によつてカーソル表示Ｋ１を移動する際、ジヨグダイアル９を奥行き方向に押下することによつて当該カーソル表示Ｋ１の移動量又は移動方向を変更し得るようにしたことにより、従来に比してカーソル表示Ｋ１の移動を速やかに行うことができ、一段と操作性及び使い勝手を向上することができる。
【００６５】
またこの携帯電話機１では、動作モードを設定するとき、ジヨグダイアル９の本体ケースの内部方向への押下を項目の選択に割当て、ジヨグダイアル９の奥行き方向への押下を項目の確定に割り当てたことにより、項目の選択及び確定をそれぞれ独立に行うことができ、従来に比して動作モードを設定する際の操作回数を減らすことができ、一段と使い勝手を向上することができる。
【００６６】
以上の構成によれば、ジヨグダイアル９の押下操作として奥行き方向の押下操作を加えて、この奥行き方向の押下操作によつてカーソル表示Ｋ１の移動量又は移動方向を変更し得るようにしたことにより、従来に比して目的の項目まで速やかに到達することができ、一段と操作性及び使い勝手を向上し得る。またジヨグダイアル９の押下操作として奥行き方向の押下操作を加えたことにより、動作モードを設定する際、項目の選択と確定を独立に行うことができ、従来に比して一段と操作性及び使い勝手を向上し得る。かくするにつき従来に比して一段と操作性に優れた使い勝手の向上した携帯電話機１を実現することができる。
【００６７】
（４）他の実施の形態
なお上述の実施の形態においては、ジヨグダイアル９を奥行き方向に押下しながら上又は下方向に回動操作したとき、カーソル表示Ｋ１を１０行分移動するようにした場合について述べたが、本発明はこれに限らず、カーソル表示Ｋ１の移動量としてはこれ以外であつても良い。
【００６８】
また上述の実施の形態においては、ジヨグダイアル９を回動操作するのと同時に奥行き方向に押下することによつてカーソル表示Ｋ１の移動量を１０行に変更した場合について述べたが、本発明はこれに限らず、ジヨグダイアル９を奥行き方向に押下した後、以降、カーソル表示Ｋ１の移動量を１０行にするようにしても良い。要は、ジヨグダイアル９の奥行き方向の押下によつてカーソル表示Ｋ１の移動量を変更するようにすれば、上述の場合と同様の効果を得ることができる。
【００６９】
また上述の実施の形態においては、ジヨグダイアル９を回動操作するのと同時に奥行き方向に押下することによつてカーソル表示Ｋ１の移動方向を左右方向に変更した場合について述べたが、本発明はこれに限らず、ジヨグダイアル９を奥行き方向に押下した後、以降、カーソル表示Ｋ１の移動方向を左右方向に変更するようにしても良い。要は、ジヨグダイアル９の奥行き方向の押下によつてカーソル表示Ｋ１の移動方向を変更するようにすれば、上述の場合と同様の効果を得ることができる。
【００７０】
また上述の実施の形態においては、動作モードの設定時、ジヨグダイアル９の２つの押下操作をそれぞれ選択と確定に割り当てた場合について述べたが、本発明はこれに限らず、その他の動作モードのときにもこれを適用するようにしても良い。
【００７１】
また上述の実施の形態においては、本発明を携帯電話機に適用した場合について述べたが、本発明はこれに限らず、カーソルを表示して項目を選択するようなものであれば、その他の電子機器に広く適用することができる。
【００７２】
また上述の実施の形態においては、電話帳リストの検索時又は文字入力モード時に、ジヨグダイアル９を奥行き方向に押下することによつてカーソル表示Ｋ１の移動方向又は移動量を変更するようにした場合について述べたが、本発明はこれに限らず、その他の動作モードにおいてこれを適用するようにしても良い。要は、親指ないし親指の根元部を一側面に当接させた状態で片手で把持される外観形状を有する本体ケースと、本体ケースの一側面上の親指が当接する位置に、当該一側面から外方に外周面の一部が僅かに突出して当該突出部分が親指に転接するように設けられた円板部材を有し、親指が一側面上を摺動するような折曲げ伸長動作をしたことにより円板部材に回動力が与えられたとき円板部材を応動するように回動させ、又は親指が一側面を押圧するような内側への押込み動作をしたことにより円板部材に本体ケースの内方に向かう押込み力が与えられたとき円板部材を押込み方向に移動させ、又は親指が一側面上を摺動するようなスライド動作をしたことにより円板部材に本体ケースの奥行き方向に向かう応力が与えられたとき円板部材を奥行き方向に移動させるように、円板部材を保持する操作子と、操作子の回動動作及び押込み動作及びスライド動作を検出する操作検出手段と、複数の項目を蓄積する蓄積手段と、蓄積手段から読み出された複数の項目のうちの複数の項目及びカーソルを表示する表示手段と、操作子の回動動作による操作検出手段の検出出力に応じて、カーソルを所望方向に移動して複数の項目のうちの１つにカーソルの位置を対応させて表示し、操作子のスライド動作による操作検出手段の検出出力に応じて、回動動作によるカーソルの移動方向又は移動量を変更し、操作子の押込み動作による操作検出手段の検出出力に応じて、カーソルが位置する項目を確定する制御手段とを設けるようにすれば、上述の場合と同様の効果を得ることができる。
【００７３】
また上述の実施の形態においては、動作モード設定時にジヨグダイアル９の２つの押下操作をそれぞれ選択と確定に割当てた場合について述べたが、本発明はこれに限らず、その他のモード時にこれを適用するようにしても良い。要は、親指ないし親指の根元部を一側面に当接させた状態で片手で把持される外観形状を有する本体ケースと、本体ケースの一側面上の親指が当接する位置に、当該一側面から外方に外周面の一部が僅かに突出して当該突出部分が親指に転接するように設けられた円板部材を有し、親指が一側面上を摺動するような折曲げ伸長動作をしたことにより円板部材に回動力が与えられたとき円板部材を応動するように回動させ、又は親指が一側面を押圧するような内側への押込み動作をしたことにより円板部材に本体ケースの内方に向かう押込み力が与えられたとき円板部材を押込み方向に移動させ、又は親指が一側面上を摺動するようなスライド動作をしたことにより円板部材に本体ケースの奥行き方向に向かう応力が与えられたとき円板部材を奥行き方向に移動させるように、円板部材を保持する操作子と、操作子の回動動作及び押込み動作及びスライド動作を検出する操作検出手段と、階層的な複数の項目を蓄積する蓄積手段と、蓄積手段に蓄積された複数の項目のうち所望の項目及びカーソルを表示する表示手段と、表示手段上に上位階層の項目が表示されているときに操作子の回動動作による操作検出手段の検出出力に応じてカーソルを上位階層の項目上で所定方向に移動し、表示手段上に下位階層の項目が表示されているときに操作子の押込み動作による操作検出手段の検出出力に応じてカーソルを下位階層の項目上で所定方向に移動すると共に、操作子のスライド動作による操作検出手段の検出出力に応じてカーソルが表示されている下位階層の項目を確定する制御手段とを設けるようにすれば、上述の場合と同様の効果を得ることができる。
【００７４】
上述の実施の形態においては、円板部材２０をスライド部材２６を介して基台部２５に保持した場合について述べたが、本発明はこれに限らず、円板部材を回動し、かつ本体ケースの内部方向に移動し、かつ本体ケースの奥行き方向に移動するような保持部材であれば、その他の構成であつても良い。要は、親指ないし親指の根元部を一側面に当接させた状態で片手で把持される外観形状を有する本体ケースを具えた電子機器の本体ケースに搭載される回動操作子において、本体ケースの一側面上の親指が当接する位置に、当該一側面から外方に外周面の一部が僅かに突出して当該突出部分が親指に転接するように設けられた円板部材と、親指が一側面上を摺動するような折曲げ伸長動作をしたことにより円板部材に回動力が与えられたとき円板部材を応動するように回動させ、又は親指が一側面を押圧するような内側への押込み動作をしたことにより円板部材に本体ケースの内方に向かう押込み力が与えられたとき円板部材を押込み方向に移動させ、又は親指が一側面上を摺動するようなスライド動作をしたことにより円板部材に本体ケースの奥行き方向に向かう応力が与えられたとき円板部材を奥行き方向に移動させるように、円板部材を保持する保持部材とを設けるようにすれば、片手で本体ケースを把持した状態で回動操作子を３方向に操作し得ることから、電子機器の操作性及び使い勝手を向上することができる。
【００７５】
【発明の効果】
上述のように本発明によれば、操作子の円板部材を回動動作させ、押込み動作させ、押下動作させ得ると共に、押下動作しながら回動動作し得るようにしており、操作子の円板部材が押下動作された場合と押下動作されていない場合とで、操作子の円板部材が回動動作されたときのカーソルの移動量を変更するようにしたことにより、操作子の円板部材が押下動作された状態で回動動作された場合には、親指のみで操作子の円板部材を押下動作しながら連続的に回動動作させることができるので、目的の項目へカーソルを合わせるまでの回動動作量を大幅に減らすことができ、その結果従来に比して短時間で目的の項目へカーソルを合わせることができ、かくして従来に比して一段と操作性に優れた使い勝手の向上した通信端末装置を実現することができる。
【００７６】
上述のように本発明によれば、上位階層の項目が表示されているときに、操作子の円板部材が回動動作された場合にはカーソルを上位階層の項目上で移動し、上位階層の下位に位置する下位階層の項目が表示されているときに操作子の円板部材が押込み動作された場合には表示されている当該下位階層の項目上でカーソルを移動し、操作子の円板部材が押下動作された場合にはカーソルが表示されている下位階層の項目を確定するようにしたことにより、操作子の円板部材に対する動作に合わせた階層別に異なるカーソルの移動制御を実現することができ、さらに上位階層の下位に位置する下位階層の項目が表示されているときに操作子の円板部材が回動動作された場合には下位階層の上位に位置する上位階層へカーソルを移し、その上位階層に表示される複数項目間を回動動作に応じた移動量で所定方向へカーソルを移動するようにしたことにより、階層間を跨ぐカーソルの移動を実現しながら一連の回動動作に応じた移動量に合わせてカーソルの移動量に合わせてカーソルを移動させることができるので、上位階層と下位階層との間を跨ぎながら瞬時かつ容易に所望の項目にカーソルを移動させて選択させることができ、かくして従来に比して一段と操作性に優れた使い勝手の向上した通信端末装置を実現することができる。
【図面の簡単な説明】
【図１】本発明を適用した携帯電話機の外観構成を示す外観図である。
【図２】その携帯電話機の内部構成を示すブロツク図である。
【図３】ジヨグダイアルの機構を示す略線図である。
【図４】クランプ部材による第１のスイツチの押下動作の説明に供する略線図である。
【図５】円板部材の機構を示す略線図である。
【図６】ジヨグダイアルの動作説明に供する出力波形図である。
【図７】ジヨグダイアルの機構を示す側面図である。
【図８】電話帳リストの検索時の動作説明に供する略線図である。
【図９】文字入力モード時の動作説明に供する略線図である。
【図１０】動作モード設定時の動作説明に供する略線図である。
【図１１】従来の動作モード設定時の動作説明に供する略線図である。
【符号の説明】
１……携帯電話機、２……本体ケース、３……アンテナ、４……電源スイツチ、５……スピーカ、６……マイクロホン、７……液晶デイスプレイ、８……操作キー、９……ジヨグダイアル、１０……ＣＰＵ、１１……送受信回路部、１２……ＲＡＭ、１３……ＥＥＰＲＯＭ、１４……ＲＯＭ、２０……円板部材、２１……検出回路、２２……第１のスイツチ、２３……第２のスイツチ、２５……基台部、２６……スライド部材、２７……クランプ部材。
【図１】
0003865169.tif 000002
【図２】
0003865169.tif 000003
【図３】
0003865169.tif 000004
【図４】
0003865169.tif 000005
【図５】
0003865169.tif 000006
【図６】
0003865169.tif 000007
【図７】
0003865169.tif 000008
【図８】
0003865169.tif 000009
【図９】
0003865169.tif 000010
【図１０】
0003865169.tif 000011
【図１１】
0003865169.tif 000012